(57)【特許請求の範囲】
【請求項１】
樹木の根鉢（８）を固定する根鉢用固定用具を用いて樹木を支持施工する樹木の支持施工方法であって、
根鉢用固定用具は、根鉢（８）に接触して該根鉢（８）を押圧する根鉢用接触体（２４）と、植穴の底面に設置されて根鉢（８）が載置される根鉢用載置体（５）と、該根鉢用載置体（５）と該根鉢用接触体（２４）とを連結する連結用部材と、根鉢（８）に根鉢用接触体（２４）を接触させた状態で根鉢（８）に食い込ませて根鉢用接触体（２４）を外側から保持するとともに根鉢用接触体（２４）を根鉢（８）に固定する根鉢用接触体固定部材（３１）と、根鉢（８）の底部（８ｃ）に食い込み可能な根鉢底部固定部材（１）とを具備し、
根鉢用載置体（５）は、植穴の側壁面に打ち込み可能な打込部材（２２）を具備し、
根鉢底部固定部材（１）は、根鉢用載置体（５）上に設けられており、
根鉢用載置体（５）を植穴の底面に設置する工程と、打込部材（２２）を植穴の側壁面に打ち込む工程と、根鉢用載置体（５）の上に根鉢（８）を載置する工程と、根鉢用接触体固定部材（３１）で根鉢用接触体（２４）を根鉢（８）に固定する工程とを備え、
根鉢用載置体（５）の上に根鉢（８）を載置する工程では、根鉢底部固定部材（１）を根鉢（８）の底部（８ｃ）に食い込ませることによって、根鉢用固定用具によって根鉢（８）が固定された状態を保持することを特徴とする樹木の支持施工方法。
【請求項２】
樹木の根鉢（８）を固定する根鉢用固定用具を用いて樹木を支持施工する樹木の支持施工方法であって、
根鉢用固定用具は、根鉢（８）に接触して該根鉢（８）を押圧する根鉢用接触体（２４）と、植穴の底面に設置されて根鉢（８）が載置される根鉢用載置体（５）と、該根鉢用載置体（５）と該根鉢用接触体（２４）とを連結する連結用部材と、根鉢（８）に根鉢用接触体（２４）を接触させた状態で根鉢（８）に食い込ませて根鉢用接触体（２４）を外側から保持するとともに根鉢用接触体（２４）を根鉢（８）に固定する根鉢用接触体固定部材（３１）と、根鉢（８）の底部（８ｃ）に食い込み可能な根鉢底部固定部材（１）とを具備し、
連結用部材は、一端部に根鉢用接触体（２４）が連結され、該一端部に対向する他端部に根鉢用載置体（５）が連結され、一端部と他端部との対向方向が上下方向となるように起立した状態と該起立した状態に対して傾倒した状態との間で変位可能に構成され、
根鉢底部固定部材（１）は、根鉢用載置体（５）上に設けられており、
根鉢用載置体（５）を植穴の底面に設置する工程と、連結用部材を傾倒させた状態で根鉢用載置体（５）の上に根鉢（８）を載置する工程と、連結用部材を起立させた状態で根鉢用接触体固定部材（３１）で根鉢用接触体（２４）を根鉢（８）に固定する工程とを備え、
根鉢用載置体（５）の上に根鉢（８）を載置する工程では、根鉢底部固定部材（１）を根鉢（８）の底部（８ｃ）に食い込ませることによって、根鉢用固定用具によって根鉢（８）が固定された状態を保持することを特徴とする樹木の支持施工方法。
【請求項３】
根鉢用固定用具は、根鉢用接触体（２４）及び連結用部材のそれぞれを複数備えると共に、該複数の根鉢用接触体（２４）のうちの一つの根鉢用接触体（２４）と他の根鉢用接触体（２４）との間に掛け回される支持ベルト（４２）をさらに具備し、各連結用部材の一端部に連結された根鉢用接触体（２４）を根鉢（８）の周囲に配置可能に構成されており、
根鉢（８）の周囲に複数の根鉢用接触体（２４）を配置し、
一つの根鉢用接触体（２４）と他の根鉢用接触体（２４）との間に支持ベルト（４２）を掛け回し、
該支持ベルト（４２）を締め付けることによって根鉢用接触体（２４）を根鉢（８）に押し付けて固定する、請求項１又は２記載の樹木の支持施工方法。
【請求項４】
樹木の根鉢（８）を固定するための根鉢用固定用具であって、
根鉢（８）に接触して該根鉢（８）を押圧する根鉢用接触体（２４）と、植穴の底面に設置されて根鉢（８）が載置される根鉢用載置体（５）と、該根鉢用載置体（５）と該根鉢用接触体（２４）とを連結する連結用部材と、根鉢（８）に根鉢用接触体（２４）を接触させた状態で根鉢（８）に食い込ませて根鉢用接触体（２４）を外側から保持するとともに根鉢用接触体（２４）を根鉢（８）に固定する根鉢用接触体固定部材（３１）と、根鉢（８）の底部（８ｃ）に食い込み可能な根鉢底部固定部材（１）とを具備し、
根鉢用載置体（５）は、植穴の側壁面に打ち込み可能な打込部材（２２）を具備し、
根鉢底部固定部材（１）は、根鉢用載置体（５）上に設けられており、
根鉢底部固定部材（１）を根鉢（８）の底部（８ｃ）に食い込ませることによって、根鉢（８）が固定された状態が保持されることを特徴とする根鉢用固定用具。
【請求項５】
樹木の根鉢（８）を固定するための根鉢用固定用具であって、
根鉢（８）に接触して該根鉢（８）を押圧する根鉢用接触体（２４）と、植穴の底面に設置されて根鉢（８）が載置される根鉢用載置体（５）と、該根鉢用載置体（５）と該根鉢用接触体（２４）とを連結する連結用部材と、根鉢（８）に根鉢用接触体（２４）を接触させた状態で根鉢（８）に食い込ませて根鉢用接触体（２４）を外側から保持するとともに根鉢用接触体（２４）を根鉢（８）に固定する根鉢用接触体固定部材（３１）と、根鉢（８）の底部（８ｃ）に食い込み可能な根鉢底部固定部材（１）とを具備し、
連結用部材は、一端部に根鉢用接触体（２４）が連結され、該一端部に対向する他端部に根鉢用載置体（５）が連結され、一端部と他端部との対向方向が上下方向となるように起立した状態と該起立した状態に対して傾倒した状態との間で変位可能に構成され、
根鉢底部固定部材（１）は、根鉢用載置体（５）上に設けられており、
根鉢底部固定部材（１）を根鉢（８）の底部（８ｃ）に食い込ませることによって、根鉢（８）が固定された状態が保持されることを特徴とする根鉢用固定用具。
【請求項６】
根鉢用接触体（２４）及び連結用部材のそれぞれを複数備え、
各連結用部材の一端部に連結された根鉢用接触体（２４）を根鉢（８）の周囲に配置可能に構成されており、
複数の根鉢用接触体（２４）のうち、一つの根鉢用接触体（２４）と他の根鉢用接触体（２４）との間に掛け回される支持ベルト（４２）をさらに具備する請求項４又は５記載の根鉢用固定用具。
【発明の詳細な説明】
【技術分野】
【０００１】
本発明は、樹木の支持施工方法と、そのような樹木の支持施工方法に用いる根鉢用固定用具に関する。
【背景技術】
【０００２】
従来、樹木を支持施工する技術として、たとえば特許文献１乃至３のような特許出願がなされている。特許文献１に係る発明においては、複数の固定板（根鉢用接触体）が根鉢の周面に接触され、それぞれの根鉢用接触体にワイヤ（支持ベルト）が取り付けられて樹木幹部の周囲に配置される一方、根鉢用接触体に杭が連結され、その杭が根鉢の周辺土壌に打設されることにより、根鉢用接触体で根鉢の周面が押さえ付けられ、その根鉢用接触体、ワイヤ、杭によって樹木が支持施工されることとなる。この特許文献１に係る発明では、上記根鉢用接触体、支持ベルト、及び杭が、樹木の支持施工に用いられる根鉢用固定用具の構成部材となる。
【０００３】
また特許文献２に係る発明は、上記特許文献１の周辺土壌に打設される杭に代えて植栽ベース（根鉢用載置体）が用いられ、その植栽ベース上に根鉢が載置され、根鉢に接触される押圧板（根鉢用接触体）と植栽ベースとに連結部材が連結されるとともに、押圧板に連結具を介して樹木幹部の周囲に配置される結合ロープ（支持ベルト）が連結され、押圧板、結合ロープ、植栽ベースによって樹木が支持施工されることとなる。この特許文献２に係る発明では、上記根鉢用載置体、根鉢用接触体、及び支持ベルトが、樹木の支持施工に用いられる根鉢用固定用具の構成部材となる。
【０００４】
上記特許文献１に係る発明及び特許文献２に係る発明は、根鉢用接触体が根鉢の側面と上面の境界部分である肩部に接触されるが、根鉢用接触体が根鉢の側面に接触される特許文献３のような出願もなされている。この特許文献３に係る発明では、根鉢用接触体とともに根鉢用載置体や支持ベルトが用いられる点で、上記特許文献１に係る発明及び特許文献２に係る発明と共通する。
【０００５】
上記特許文献１乃至３に係る発明においては、いずれも支持ベルトの締め付け力と、該支持ベルトの締め付けに伴う根鉢用接触体の根鉢に対する押圧力とが主として作用することで根鉢が固定されている。
【０００６】
しかし、支持ベルトは、樹木の幹部の周囲に配置されるべく、根鉢の上面に掛け回され、ウインチ等で締め付けられることによる緊締力によって根鉢を固定するものであるため、たとえば根鉢を載置している地盤が沈下する場合、或いは風等によって樹木に傾倒力が作用するような場合に、緩みが生じてその緊締力が低下するおそれがある。
【０００７】
また根鉢用接触体は、上記のように根鉢の肩部や根鉢の側面に接触し、上記支持ベルトが根鉢用接触体に掛け回されて、支持ベルトの緊締力に伴って根鉢を押圧する押圧力で根鉢を固定するものであり、また、このような根鉢用接触体自体は、単に根鉢に当たっているだけであるので、上記のように支持ベルトが緩んでその緊締力が低下すると、それに伴って根鉢に対する押圧力が低下するおそれがある。
【０００８】
そのため、上記支持ベルトと根鉢用接触体とを有する従来の根鉢用固定用具で固定される樹木の根鉢８は、図４９の２点鎖線に示すように鉛直方向に対して傾くおそれがあった。
【先行技術文献】
【特許文献】
【０００９】
【特許文献１】特開平１０−１４４１５号公報
【特許文献２】特開平１１−１１３４３０号公報
【特許文献３】特開２００７−２２２１０４号公報
【発明の概要】
【発明が解決しようとする課題】
【００１０】
本発明は、上記のような問題点に鑑みてなされたもので、上記従来の技術に比べて、根鉢をより確実に固定することができ、地盤沈下が生じた場合や樹木に傾倒力が作用する場合における、鉛直方向に対する根鉢の傾きをより好適に防止することができる樹木の支持施工方法と、その支持施工方法に用いる根鉢用固定用具を提供することを課題とするものである。
【課題を解決するための手段】
【００１１】
本発明は、このような課題を解決するために、樹木の根鉢を固定する根鉢用固定用具を用いて樹木を支持施工する樹木の支持施工方法であって、前記根鉢の底部に食い込み可能な根鉢底部固定部材が前記根鉢用固定用具に具備され、該根鉢底部固定部材を前記根鉢の底部に食い込ませることによって、前記根鉢用固定用具によって根鉢が固定される状態を保持することを特徴とする樹木の支持施工方法を提供するものである。
【００１２】
また本発明は、樹木の根鉢を固定するための根鉢用固定用具であって、前記根鉢の底部に食い込み可能な根鉢底部固定部材が具備され、該根鉢底部固定部材を前記根鉢の底部に食い込ませることによって根鉢が固定される状態が保持されるように構成されていることを特徴とする根鉢用固定用具を提供するものである。
【００１３】
本発明においては、上記のように樹木の根鉢の底部に食い込み可能な根鉢底部固定部材が根鉢用固定用具に具備されているので、このような根鉢底部固定部材を根鉢の底部に食い込ませることによって、根鉢用固定用具により根鉢を固定する状態が保持されることとなり、地盤沈下が生じた場合や樹木に傾倒力が作用する場合における、鉛直方向に対する根鉢の傾きが好適に防止されることとなるのである。
【００１４】
また本発明においては、根鉢用固定用具に、根鉢を載置するための根鉢用載置体が具備されていてもよい。この場合には、前記根鉢底部固定部材は、根鉢用載置体上に設けられることとなる。このような根鉢用載置体に根鉢が載置される場合、根鉢が根鉢用載置体上で滑るおそれがある。特に、根鉢用載置体が金属製のものである場合には、根鉢が根鉢載置体上で一層滑り易くなる。従って、上記のように地盤沈下が生じた場合や樹木に傾倒力が作用する場合に、根鉢が根鉢用載置体上で滑って、上記のような鉛直方向に対する根鉢の傾きが一層生じ易くなる。
【００１５】
しかしながら、上記のように根鉢用載置体上に根鉢底部固定部材が設けられていると、根鉢を根鉢用載置体上に載置する際に、根鉢底部固定部材が根鉢の底部に食い込むこととなる。このように根鉢底部固定部材が根鉢の底部に食い込むことで、根鉢が根鉢用載置体上で滑るおそれが少なくなり、地盤沈下が生じた場合や樹木に傾倒力が作用する場合における、鉛直方向に対する根鉢の傾きを好適に防止することができる。
【００１６】
さらに本発明においては、根鉢用接触体が複数具備され、一つの根鉢用接触体と他の根鉢用接触体との間に掛け回される支持ベルトがさらに具備されていてもよい。このような支持ベルトが具備される場合には、根鉢の周囲に複数の根鉢用接触体が配置され、一つの根鉢用接触体と他の根鉢用接触体との間に支持ベルトが掛け回され、該支持ベルトを締め付けることによって前記根鉢用接触体が根鉢に押し付けられることとなる。
【００１７】
このような支持ベルトが根鉢用接触体に掛け回され、支持ベルトが締め付けられることで該支持ベルトに緊締力が生じると、根鉢に対して根鉢用接触体の押圧力が作用することとなる。そして、上記のように支持ベルトを締め付けることによって前記根鉢用接触体で根鉢を押圧した状態で、前記根鉢底部固定部材が根鉢の底部に食い込むことで、根鉢はより確実に固定されることとなる。
【００１８】
さらに本発明においては、前記根鉢用接触体と、前記根鉢用載置体とを連結する連結用部材が具備されていてもよい。このような連結用部材が根鉢用接触体と根鉢用載置体とに連結されることによって、根鉢用接触体が根鉢に対して位置ずれするのが好適に防止されることとなる。また、この場合において、上記支持ベルトが樹木の幹部の周囲に配置されて根鉢用接触体に掛け回される場合には、根鉢用接触体の上側は支持ベルトの緊締力によって固定され、根鉢用接触体の下側は根鉢用載置体に連結された連結用部材によって固定され、根鉢用接触体の上下で支持ベルトと連結用部材によって根鉢が固定されることになるので、根鉢用接触体の位置ずれがより確実に防止されることになる。このような状態で前記根鉢底部固定部材が根鉢の底部に食い込むことで、根鉢はより確実に固定されることとなる。
【発明の効果】
【００１９】
本発明によって、根鉢をより確実に固定することができ、地盤沈下が生じた場合や樹木に傾倒力が作用する場合における、鉛直方向に対する根鉢の傾きをより好適に防止することができる樹木の支持施工方法と、その支持施工方法に用いる根鉢用固定用具を提供することが可能となる。
【図面の簡単な説明】
【００２０】
【図１】一実施形態の根鉢底部固定部材の平面図。
【図２】図１の根鉢底部固定部材の一部断面側面図。
【図３】他の実施形態の根鉢底部固定部材の平面図。
【図４】図３の根鉢底部固定部材の一部断面側面図。
【図５】他の実施形態の根鉢底部固定部材の平面図。
【図６】図５の根鉢底部固定部材の一部断面側面図。
【図７】他の実施形態の根鉢底部固定部材の平面図。
【図８】図７の根鉢底部固定部材の一部断面側面図。
【図９】一実施形態の根鉢用載置体の概略平面図。
【図１０】一実施形態の根鉢用載置体の移動部材を移動させた状態の概略平面図。
【図１１】図１０のＩ−Ｉ線拡大端面図。
【図１２】移動部材の先端側を示す要部拡大側面図。
【図１３】一実施形態の根鉢用接触体の正面図。
【図１４】図１３のII−II線断面図。
【図１５】他の実施形態の根鉢用接触体の正面図。
【図１６】他の実施形態の根鉢用接触体を根鉢に接触させた状態を示す断面図。
【図１７】一実施形態の根鉢用接触体固定部材の正面図。
【図１８】図１７の根鉢用接触体固定部材の側面図。
【図１９】根鉢用接触体を保持しつつ一実施形態の根鉢用接触体固定部材を根鉢に打ち込んだ状態を示す要部拡大正面図。
【図２０】図１９のIII−III線断面図。
【図２１】他の実施形態の根鉢用接触体固定部材の側面図。
【図２２】他の実施形態の根鉢用接触体固定部材の側面図。
【図２３】他の実施形態の根鉢用接触体固定部材の側面図。
【図２４】図２３の根鉢用接触体固定部材を根鉢に打ち込んだ状態を示す断面図。
【図２５】他の実施形態の根鉢用接触体固定部材の斜視図。
【図２６】他の実施形態の根鉢用接触体固定部材の断面図。
【図２７】図２６の根鉢用接触体固定部材を根鉢に食い込ませた状態を示す断面図。
【図２８】一実施形態のアジャスターの正面図。
【図２９】図２８のアジャスターの側面図。
【図３０】一実施形態の支持ベルトの平面図。
【図３１】一実施形態のウインチの平面図。
【図３２】図３１のウインチの側面図。
【図３３】ウインチと支持ベルトを根鉢用接触体に取り付けた状態を示す要部拡大正面図。
【図３４】図３３のウインチと支持ベルトを根鉢用接触体に取り付けた状態を示す要部拡大側面図。
【図３５】アジャスターを移動部材のスライド杆に取り付けた状態の一部断面正面図。
【図３６】アジャスターを移動部材のスライド杆に取り付けた状態の全体を示す概略平面図。
【図３７】アジャスターを移動部材のスライド杆に取り付けた状態の全体を示す概略側面図。
【図３８】アジャスターを傾倒させた状態の一部断面正面図。
【図３９】アジャスターを傾倒させた状態の全体を示す概略平面図。
【図４０】根鉢用接触体にアジャスターを取り付けた状態の一部断面正面図。
【図４１】根鉢用接触体にアジャスターを取り付けた状態の全体を示す概略側面図。
【図４２】アジャスター及び根鉢用接触体を傾倒させた状態の一部断面正面図。
【図４３】根鉢の底部を根鉢底部固定部材に食い込ませた状態を示す要部拡大断面図。
【図４４】根鉢を根鉢用載置体上に載置した状態の全体を示す概略側面図。
【図４５】根鉢用接触体を根鉢に接触させた状態の全体を示す概略側面図。
【図４６】支持ベルトを根鉢用接触体に架け渡した状態を示す概略側面図。
【図４７】支持ベルトを根鉢用接触体に架け渡した状態を示す概略平面図。
【図４８】根鉢用接触体を保持しつつ根鉢用接触体固定部材を根鉢に打ち込んだ全体の状態を示す概略側面図。
【図４９】従来の技術の作用を説明するための概略正面図。
【発明を実施するための形態】
【００２１】
以下、本発明の実施形態について説明する。
【００２２】
本実施形態の樹木の支持施工方法は、樹木の根鉢を固定する根鉢用固定用具を用いて樹木を支持施工する樹木の支持施工方法であって、前記根鉢の底部に食い込む形状を有する根鉢底部固定部材が前記根鉢用固定用具に具備され、該根鉢底部固定部材を前記根鉢の底部に食い込ませることによって、前記根鉢用固定用具によって根鉢が固定される状態を保持するものである。
【００２３】
また本実施形態の根鉢用固定用具は、樹木の根鉢を固定するための根鉢用固定用具であって、前記根鉢の底部に食い込む形状を有する根鉢底部固定部材が具備され、該根鉢底部固定部材を前記根鉢の底部に食い込ませることによって根鉢が固定される状態が保持されるものである。
【００２４】
このような根鉢底部固定部材が設けられていることによって、根鉢を載置する際、根鉢の底部に根鉢底部固定部材が突き刺さることとなり、このような根鉢底部固定部材の根鉢の底部に対する食い込み力によって、根鉢を確実に固定することができ、地盤沈下が生じた場合や樹木に傾倒力が作用する場合における、鉛直方向に対する根鉢の傾きを好適に防止することができる。ここで、地盤沈下が生じた場合や樹木に傾倒力が作用する場合における、鉛直方向に対する根鉢の傾きを好適に防止するためには、根鉢底部固定部材は根鉢の底部の中央付近に食い込ませることが望ましい。
【００２５】
根鉢底部固定部材１としては、たとえば図１及び図２に示すように、長い板状体２の先端に板状の突片３が上向きに立設されたようなものを用いることができる。より詳細には、この図１及び図２の実施形態における根鉢底部固定部材１の突片３は、上縁に２個の山形状部４、４を有しており、２枚の長い板状体２が、後述する根鉢用載置体５の固定部材６を構成する２本の枠杆７、７の交差部分の近くの上部にそれぞれ固着されている。この図１及び図２の実施形態では、後述のように、根鉢８を前記根鉢用載置体５の固定部材６上に載置した際に、前記根鉢底部固定部材１の突片３の山形状部４が根鉢８の底部８ｃに突き刺さって前記根鉢底部固定部材１が根鉢８の底部８ｃに食い込み、それによって根鉢８が固定されることとなる。
【００２６】
また根鉢底部固定部材１としては、たとえば図３及び図４に示すように、固定部材６を構成する２本の枠杆７、７の交差部分の近くに上向きに突設されたボルト状の形態のものを用いることもできる。より詳細には、この図３及び図４の実施形態では、２本の枠杆７、７にそれぞれ複数の孔９が穿設され、それらの孔のうち、２本の枠杆７、７の交差部分から等距離にある４個の孔９にそれぞれボルト状の根鉢底部固定部材１が挿入され、枠杆７、７から上向きに突設されて構成される。
【００２７】
この図３及び図４の実施形態では、根鉢８を根鉢用載置体５に載置すると、固定部材６の枠杆７、７に上向きに突設された計４本のボルト状の根鉢底部固定部材１が根鉢８の底部８ｃに食い込むこととなり、それによって根鉢８が固定されることとなる。また、この図３及び図４の実施形態では、２本の枠杆７、７にそれぞれ複数の孔９が穿設されているので、孔９の位置を変更してボルト状の根鉢底部固定部材１を挿入することができ、根鉢８の大きさや根鉢８の底部８ｃの形状（たとえば丸みを帯びているか平坦であるか等）に応じて根鉢底部固定部材１の位置を調整することができる。
【００２８】
さらに、根鉢底部固定部材１として、図５及び図６に示すように、側面略Ｌ字状のものを用いることもできる。より詳細には、この図５及び図６の実施形態における根鉢底部固定部材１は、全体が平面略正方形状に形成された底部１０を有しており、該底部１０の周縁部の１辺に、上向きに突片１１が突設されている。この突片１１は、上縁に３個の山形状部１２を有している。また、根鉢底部固定部材１の底部１０には、長孔１３が穿設され、その長孔１３にボルト１４が挿入されているとともに、該ボルト１４にナット１５が螺合されることによって、根鉢底部固定部材１が固定部材６の枠杆７、７に固定されている。
【００２９】
そして、この図５及び図６の実施形態では、根鉢８を前記根鉢用載置体５の固定部材６上に載置した際に、前記根鉢底部固定部材１の突片１１の山形状部１２が根鉢８の底部８ｃに突き刺さって前記根鉢底部固定部材１が根鉢８の底部８ｃに食い込み、それによって根鉢８が固定されることとなる。また、この図５及び図６の実施形態においても、２本の枠杆７、７にそれぞれ複数の孔９が穿設されており、それらの孔９のうち、２本の枠杆７、７の交差部分から等距離にある４個の孔９にボルト１４が挿入される。
【００３０】
より詳しくは、根鉢底部固定部材１の底部１０の長孔１３に枠杆７の孔９が連通状態とされ、該底部１０の長孔１３と枠杆７の孔９とにボルト１４が挿入され、さらにボルト１４にナット１５が螺合されることによって、根鉢底部固定部材１が枠杆７、７に固定されることとなる。２本の枠杆７、７にそれぞれ複数の孔９が穿設されているので、孔９の位置を変更してボルト１４を挿入することができ、根鉢８の大きさや根鉢８の底部８ｃの形状（たとえば丸みを帯びているか平坦であるか等）に応じて根鉢底部固定部材１の位置を調整することができることは、上記図３及び図４の実施形態と同様である。
【００３１】
さらに、根鉢底部固定部材１としては、図７及び図８に示すようなものを用いることもできる。この図７及び図８の根鉢底部固定部材１は、同図に示すように、固定部材６の２本の枠杆７、７が交差する部分に設けられている。この根鉢底部固定部材１は、図７及び図８に示すように、全体が平面略正方形状に形成された底部１６を有しており、該底部１６の周縁部に、上向きに突片１７が突設された構成からなる。この突片１７は、上縁に２個の山形状部１８、１８を有し、前記底部１６の周縁部の４辺に、それぞれ２個ずつ形成されている。そして、根鉢８を根鉢用載置体５の固定部材６上に載置した際に、前記山形状部１８が突き刺さって前記根鉢底部固定部材１が根鉢８の底部８ｃに食い込むように、該根鉢底部固定部材１が構成されている。この根鉢底部固定部材１の底部１６の略中央、及び前記枠杆７、７が交差する前記固定部材６の略中央部分に貫通するようにボルト１９が挿通され、該ボルト１９の挿通によって根鉢底部固定部材１が固定部材６の略中央部分に固定して取り付けられている。
【００３２】
根鉢底部固定部材１としては、たとえば金属製のものが使用されるが、その材質は限定されるものではなく、他の材質のものを使用することができる。ただし、根鉢８の底部に対する８ｃに対する食い込み力を良好なものとし、且つコストが高くならないようにする観点からは、金属製のものであることが望ましい。とりわけ、鉄製、ステンレス製等のものであることが望ましい。
【００３３】
上記図１乃至図８の実施形態においては、いずれも根鉢用載置体５を構成する固定部材６上に根鉢底部固定部材１が立設される等、根鉢底部固定部材１が根鉢用載置体５上に設けられている場合について説明したが、根鉢底部固定部材１を根鉢用載置体５上に設けずに、たとえば植穴の底面等の地面に直接根鉢底部固定部材１が設置されていてもよい。
【００３４】
根鉢用載置体５としては、たとえば図９及び図１０に示すように、根鉢の直接的な載置部分となる固定部材６と、該固定部材６に対して移動可能に構成された移動部材２０とで構成されたようなものを用いることができる。
【００３５】
この固定部材６としては、たとえば図９、図１０、図１１のように、断面四角形状の細長い四角筒状に形成された２本の枠杆７、７を平面略十字状に交差させて形成されたようなものを用いることができる。また、このような平面略十字状のものに限らず、３本の枠杆７、或いは４本の枠杆７が、中央で交差するように構成されたものを用いることも可能である。さらに、固定部材６の２本の枠杆７、７が交差されて根鉢用載置体５が形成されているものの他、根鉢用載置体５は、たとえば４本の枠杆で平面略四角形状に形成されたものであってもよく、また３本の枠杆で平面略三角形状に形成されたものであってもよい。
【００３６】
また移動部材２０としては、たとえば図９、図１０、図１１のように、前記固定部材６の枠杆７にスライド自在に外嵌され、該枠杆７と同様に断面四角形状の細長い四角筒状に形成されたスライド杆２１と、該スライド杆２１の先端側に取り付けられた打込部材２２とからなるものを用いることができる。打込部材２２は、図９及び図１０に示すように、２つの直角部分２２ａ、２２ａと、２つの鈍角部分２２ｂ、２２ｂと、１つの鋭角部分２２ｃとからなり、その１つの鋭角部分２２ｃが先端側とされて、該先端側の鋭角部分２２ｃによって、根鉢が収納される植穴の側壁面に打ち込み可能となるように構成されている。
【００３７】
さらに、この打込部材２２は板状に形成されており、植穴の底面に載置された際に、その植穴の底面における土に対して抵抗を生じさせるような機能をも奏するものである。さらに、前記スライド杆２１と打込部材２２との連設部分には、図１２に示すようにハンマーで打設するための打設体２３が上向きに突設されている。
【００３８】
根鉢用載置体５の材質としては、たとえば金属製のものが使用されるが、その材質は限定されるものではなく、他の材質のものを使用することができる。ただし、根鉢用載置体５が金属製のものであれば、他の材質のものに比べて根鉢用載置体５上に載置される根鉢８が滑り易くなるので、上記根鉢底部固定部材１を根鉢８の底部８ｃに食い込ませることによる実益は根鉢用載置体５が金属製のものである場合に特に大きいものとなる。
【００３９】
本実施形態の根鉢用固定用具には、さらに根鉢８に接触させるための根鉢用接触体２４が具備されていてもよい。根鉢用接触体２４は、たとえば根鉢８の側面に接触するようなものであってもよく、また根鉢８の側面と上面の境界部分である肩部に接触するようなものであってもよい。また、根鉢用接触体２４の形状や材質も特に限定されるものではない。要は根鉢８に接触して根鉢８を押圧することができるように形成されたものであればよい。
【００４０】
主として根鉢の側面に接触するようなものとして、たとえば、図１３に及び図１４に示すような根鉢用接触体２４が例示される。この根鉢用接触体２４は、同図のように、接触体中央片２５の上部２５ａに、接触体頭部片２６が固着されて形成されている。そのような固着は、たとえば溶接によりなされる。
【００４１】
この接触体頭部片２６は、前記接触体中央片２５よりも幅広に形成されている。該接触体頭部片２６は、接触体中央片２５の上部２５ａに固着された頭部片上部２６ａと、該頭部片上部２６ａから両側に立下り形成された頭部片側部２６ｂと、該頭部片側部２６ｂの下部から内向きに形成された頭部片下部２６ｃとで全体が略枠状となるように形成されている。接触体中央片２５には複数（図１の例では６個）の四角形の孔が穿設されており、それらの孔のうち、５個の孔４ｂ、…は同じ大きさに形成され、最上部の孔２７ａは、他の孔２７ｂよりも大きく形成されている。この最上部の孔２７ａの略中央の位置には、後述する支持ベルトを掛止するための棒状の掛止体２８が設けられている。この掛止体２８は、図１４に示すように前記接触体中央片２５を構成する鋼材の一部を湾曲させて形成された湾曲部２９内に挿入されることによって設けられている。
【００４２】
また、該掛止体２８より上側の最上部の孔２７ａの背面側に、前記接触体頭部片２６の頭部片上部２６ａが位置するように、接触体頭部片２６が接触体中央片２５の上部２５ａの背面側に固着されている。そして、掛止体２８より上側の接触体中央片２５及び接触体頭部片２６が、掛止体２８より下側の接触体中央片２５及び接触体頭部片２６に対してわずかに折り曲げて形成されている。さらに、接触体頭部片２６の頭部片上部２６ａの略中央には、後述するボルト挿入用の孔３０が穿設されている。
【００４３】
上記のように構成された根鉢用接触体２４において、掛止体２８より下側の接触体中央片２５及び接触体頭部片２６は真っすぐに形成されているので、鉛直方向に配置して根鉢の側面に接触されるが、掛止体２８より上側の接触体中央片２５及び接触体頭部片２６は、掛止体２８より下側の部分に対してわずかに折り曲げて形成されているので、根鉢の肩部に接触されうる。
【００４４】
上記図１３及び図１４に示す根鉢用接触体１は、主として根鉢の側面に接触するものの、根鉢の肩部にも接触しうるが、この図１３及び図１４の形態の根鉢用接触体２４に限らず、根鉢の側面のみに接触するような根鉢用接触体２４を用いることもできる。
【００４５】
また根鉢の肩部に接触するようなものとして、たとえば図１５に示すような、一般に肩パットと称される根鉢用接触体２４を用いることも可能である。この根鉢用接触体２４は、複数の孔２７を有して略ハシゴ形状に形成されており、図１６に示すよう折り曲げられつつ根鉢８の肩部８ｂに接触されて使用されるものである。
【００４６】
根鉢用接触体２４は、後述する根鉢用接触体固定部材によって外側から好適に保持されるためには、上記図１３乃至図１６に示すように、複数の孔を有する略ハシゴ形状に形成されたような形状のものが望ましい。ただし、根鉢用接触体２４の形状はこれに限定されるものではなく、孔のない板状に形成されたようなものであってもよい。
【００４７】
根鉢の外周面に配置される根鉢用接触体２４の数は、たとえば４個配置され、或いは３個配置される等、根鉢の大きさに応じて変更可能である。根鉢用接触体２４の数は１個であってもよいが、後述する支持ベルトを掛け回して支持ベルトを締め付けることによって根鉢用接触体２４に根鉢に対する押圧力を生じさせるためには、複数の根鉢用接触体２４が用いられるのが望ましい。また、根鉢用接触体２４としては、たとえば金属製のものが用いられるが、その材質も限定されるものではない。
【００４８】
本実施形態の根鉢用固定用具には、前記根鉢用接触体２４を外側から保持しつつ根鉢に打ち込むことによって根鉢を固定する根鉢用接触体固定部材３１が、さらに具備されていてもよい。根鉢用接触体固定部材３１の形状は問うものではなく、たとえば、図１７及び図１８に示すように、正面略長方形状、側面略コ字状に形成された根鉢用接触体固定部材３１を用いることができる。この根鉢用接触体固定部材３１の略中央には、ボルトを挿入させるための孔３２が穿設されている。
【００４９】
この図１７及び図１８に示す根鉢用接触体固定部材３１の使用例について、上記図１３及び図１４に示す根鉢用接触体２４に適用する場合について説明すると、図１９及び図２０に示すように、根鉢用接触体固定部材３１で根鉢用接触体２４を保持させつつ、根鉢用接触体固定部材３１を根鉢８の側面８ａに打ち込む。
【００５０】
より具体的には、根鉢用接触体固定部材３１の中央片３１ａが、根鉢用接触体２４の接触体頭部片２６の頭部片下部２６ｃの正面に接触し、根鉢用接触体固定部材３１の両側片３１ｂ、３１ｂが前記接触体頭部片２６の頭部片下部２６ｃの両側に跨るように、根鉢用接触体固定部材３１が根鉢８の側面８ａに打ち込まれることとなる。このように根鉢用接触体固定部材３１が根鉢８の側面８ａに打ち込まれることで、根鉢用接触体固定部材３１が根鉢８の側面８ａに食い込むこととなる。
【００５１】
さらに、ボルト３３が根鉢用接触体固定部材３１の孔３２に挿入されることによって、根鉢用接触体固定部材３１と根鉢用接触体２４との相互間が固定されることとなる。この場合には、接触体頭部片２６の頭部片下部２６ｃにも、予め孔が穿設されている必要がある。このような頭部片下部２６ｃの孔は、たとえば施工現場でドリル等によって穿設されうる。
【００５２】
また、上記図１７及び図１８の根鉢用接触体固定部材３１と同様に、正面略長方形状、側面略コ字状に形成されているが、図２１に示すように、略コ字状に形成された両側片３１ｂ、３１ｂの先端部３１ｃ、３１ｃが略楔形に形成されたような根鉢用接触体固定部材３１を用いることもできる。より詳細には、図２１の実施形態では、根鉢用接触体固定部材３１の両側の先端部３１ｃが側面略三角形状に形成され、最先端部３１ｄより手前側の頂角の部分３１ｅは、根鉢用接触体固定部材３１の側片３１ｂの外面より外側に突出して形成されており、その頂角の部分３１ｅから最先端部３１ｄに向かって内向きのテーパ状となるように先端部３１ｃが形成されている。
【００５３】
この図２１の実施形態では、根鉢用接触体固定部材３１の両側片３１ｂ、３１ｂの先端部３１ｃ、３１ｃが略楔形に形成されているので、根鉢用接触体固定部材３１を根鉢の側面に容易に打ち込むことができる。また側面略三角形状に形成された根鉢用接触体固定部材３１の最先端部３１ｄより手前側の頂角の部分３１ｅは、側片３１ｂの外面より外側に突出して形成されているので、根鉢用接触体固定部材３１が一旦根鉢８の側面８ａに打ち込まれた後は、前記側片３１ｂの外面より外側に突出した頂角の部分３１ｅが抵抗力として作用して根鉢用接触体固定部材３１が根鉢８の側面８ａから不用意に抜け出るのが好適に防止される。
【００５４】
また、根鉢用接触体固定部材３１として、図２２に示すように、根鉢用接触体固定部材３１の側片３１ｂの先端部３１ｃが、３つの三角形が長さ方向に連続するような釘状に形成されたものを用いることもできる。この図２２の実施形態では、それぞれ３つの三角形の両側の頂角の部分３１ｅが、根鉢用接触体固定部材３１の側片３１ｂの外面より外側に突出して形成されており、その頂角の部分３１ｅから先端側に向かって内向きのテーパ状となるように形成されている。そして、先端部３１ｃは尖った略楔形に形成されている。
【００５５】
この図２２の実施形態においても、根鉢用接触体固定部材３１の両側の先端部３１ｃが略楔形に形成されているので、根鉢用接触体固定部材３１を根鉢の側面に容易に打ち込むことができる。また、それぞれ３つの三角形の両側の頂角の部分３１ｅが根鉢用接触体固定部材９の側片３１ｂの外面より外側に突出して形成されているので、根鉢用接触体固定部材３１が一旦根鉢８の側面８ａに打ち込まれた後は、前記側片３１ｂの外面より外側に突出した頂角の部分３１ｅが抵抗力として作用して根鉢用接触体固定部材３１が根鉢の側面から不用意に抜け出るのが好適に防止されることとなる。特に、この図２２の実施形態においては、３つの三角形が長さ方向に連続するような釘状に形成されているので、側片３１ｂの外面より外側に突出した頂角の部分３１ｅは、図２２に示すように全部で１２個形成されていることになり、従って、根鉢用接触体固定部材３１が一旦根鉢８の側面８ａに打ち込まれた後の抜け止め防止効果は、一層良好となる。
【００５６】
さらに、根鉢用接触体固定部材３１として、図２３に示すように、２枚の板状部材３４、３４が、それぞれ回動自在となるようにピン３５で軸支されて構成されたものを用いることもできる。２枚の板状部材３４の先端部３４ａは、尖った形状に形成されている。この図２３の実施形態の根鉢用接触体固定部材３１は、たとえば上記図１５及び図１６に示すような、肩パットと称される根鉢８の肩部８ｂに接触されるような根鉢用接触体２４に適用されうる。具体的には、根鉢用接触体２４の孔２７に根鉢用接触体固定部材３１が挿入されるようにして、該根鉢用接触体固定部材３１が根鉢８の肩部８ｂに打ち込まれる。
【００５７】
この図２３の実施形態においては、根鉢用接触体固定部材３１が根鉢８の肩部８ｂに打ち込まれる際に、図２４に示すように、尖った先端部３４ａとは反対側の部分を同図の矢印方向にハンマー等で打設することにより、２枚の板状部材３４、３４がそれぞれピン３５を中心として外向きに少し回動し、２枚の板状部材３４、３４がそれぞれ開いたような状態にされて根鉢用接触体固定部材３１が根鉢８の肩部８ｂに打ち込まれることとなる。このように２枚の板状部材３４、３４がそれぞれ開いたような状態にされて根鉢用接触体固定部材３１が根鉢８の肩部８ｂに打ち込まれるので、開かれた板状部材３４、３４が抵抗力として作用して根鉢用接触体固定部材３１が根鉢８の肩部８ｂから不用意に抜け出るのが好適に防止されることとなる。
【００５８】
さらに、根鉢用接触体固定部材３１として、図２５に示すように、棒状体が側面略コ字状となるように形成された２つの側片３１ｂが、１つの棒状体３１ｆで連結されたように形成されたものを用いることもできる。この図２５の実施形態では、図１７乃至図２４の実施形態のように、根鉢用接触体固定部材３１が板状の部材で形成されているのではなく、棒状の部材で形成されているので、根鉢用接触体固定部材３１を形成する材料を節減することができるという利点がある。
【００５９】
さらに、根鉢用接触体固定部材３１として、図２６に示すように、ボルト状に形成された根鉢用接触体固定部材３１を用いることもできる。この場合には、該ボルト状の根鉢用接触体固定部材３１に螺合できるようなナット状部材３６が、根鉢用接触体２４に取り付けられることになり、図２７のようにボルト状の根鉢用接触体固定部材３１がナット状部材３６に螺合されることによって、根鉢用接触体固定部材３１と根鉢用接触体２４との相互間が固定されることになる。この図２６の実施形態では、根鉢用接触体固定部材３１がハンマー等で根鉢８に打ち込まれるわけではないが、ボルト状の根鉢用接触体固定部材３１がナット状部材３６に螺合されることによって、結果的に根鉢用接触体固定部材３１が根鉢８に食い込むことになる。また、この図２６の実施形態では、汎用性のあるボルト状の部材を根鉢用接触体固定部材３１として用いることができるので、根鉢用接触体固定部材３１の準備のためのコストを節減することができるという利点がある。
【００６０】
本実施形態の根鉢用固定用具には、さらに連結用部材が具備されていてもよい。この連結用部材は、上記根鉢用載置体５と根鉢用接触体２４と連結されるものである。このような連結用部材としては、たとえば、図２８及び図２９に示すアジャスター３７のようなものを用いることができる。このアジャスター３７は、根鉢用載置体５に対する根鉢用接触体２４の位置を調整することにより、根鉢の大きさに合わせて根鉢用接触体２４を根鉢に接触させることができるようにするためのものである。このアジャスター３７は、図２８及び図２９に示すように、前記固定部材６の枠杆７に外嵌できるような大きさの円筒状に形成されたアジャスター軸部３８と、該アジャスター軸部３８に固着されたアジャスターフレーム３９とで構成されている。
【００６１】
このアジャスターフレーム３９は、細い鋼材が底部３９ａで折り曲げられ、その折り曲げられた底部３９ａが前記アジャスター軸部３８の外周に沿って固着され、且つ該アジャスター軸部３８から１対の鋼材部分が平行に配置されるように構成されている。そして、該アジャスターフレーム３９の１対の鋼材部分の上部には、板状部材を折り曲げて形成した係止片４０が形成されている。この折り曲げられた係止片４０は、幅の異なる長片４０ａと短片４０ｂとからなり、その係止片４０の略中央にはボルト４１が前記短片４０ｂ側から長片４０ａ側に挿通されるように止着されている。
【００６２】
また、このように根鉢用載置体５に対する根鉢用接触体２４の位置を調整することができるアジャスター３７以外に、位置を調整することができない連結用部材を用いることも可能である。
【００６３】
本実施形態の根鉢用固定用具には、樹木の幹部の周囲に配置されて、複数の根鉢用接触体２４に掛け回される支持ベルト４２がさらに具備されていてもよい。根鉢用接触体２４には、支持ベルト４２が直接掛け回されていてもよく、また別の部材を介して間接的に掛け回されていてもよい。いずれの場合でも、支持ベルト４２が締め付けられることで該支持ベルト４２に緊締力が生じると、根鉢に対して根鉢用接触体２４の押圧力が作用することとなる。このような支持ベルト４２を用いる場合、１本の支持ベルト４２を複数個の根鉢用接触体２４に架け回すことも可能であるが、これに限らず、たとえば樹木の根元部に支持リングを巻装させ、その支持リングと根鉢用接触体２４とに支持ベルト４２を１本ずつ架け渡して支持することも可能である。
【００６４】
支持ベルト４２は、図３０に示すように合成繊維、天然繊維、若しくは合成樹脂等からなる平らなベルトボディ４３と、該ベルトボディ４３の先端側に取り付けられた取付金具４４とで構成されている。支持ベルト４２の先端部４５側は、図３０に示すように取付金具４４の長孔４６に挿入され、それによって前記支持ベルト４２の先端部４５側が取付金具４４に取り付けられている。この取付金具４４には挿通孔４７が穿設されている。
【００６５】
本実施形態の根鉢用固定用具には、上記支持ベルト４２を締め付けるためのウインチ４８がさらに具備されていてもよい。ウインチ４８には、図３１及び図３２に示すように、支持ベルト４２の端部を取り付ける軸部５０が具備され、さらに該軸部５０の側部に設けられたラチェット５１と、該ラチェット５１に係止可能な係止体５２とが具備されている。
【００６６】
このようなウインチ４８と、支持ベルト４２の取付金具４４とが、図３３及び図３４に示すように根鉢用接触体２４に取り付けられる。この場合、ウインチ４８と取付金具４４とは、図３３に示すように、相互に約９０度の角度をなすように、ボルト４９で同軸的に根鉢用接触体２４に取り付けられる。そして、ウインチ４８の端部４８ａが根鉢用接触体２４を押さえ付けることとなる。そして、ボルト４９が孔７に挿入されて、取付金具４４とウインチ４８とが根鉢用接触体２４に取り付けられた状態において、取付金具４４は左右に可動しうるように構成されている。これによって、ウインチ４８の締付力が、該ウインチ４８側に取り付けられた支持ベルト４２の端部のみならず、取付金具４４側に取り付けられた支持ベルト４２の端部にも好適に作用することとなり、支持ベルト４２の張力が好適に生じることとなるのである。
【００６７】
この支持ベルト４２の素材としては、年月の経過に伴って分解する素材、たとえば生分解樹脂、その他、麻、綿、ジュート等の素材を用いることができる。生分解樹脂としては、ポリ乳酸、ポリブチレンサクシネート等の材質のものを用いることができる。また支持ベルト４２の素材の形態としては、上記生分解樹脂からなる糸であって、たとえばテグス等に用いられるような糸を編成又は織成されたような形態のものを用いることができる。この場合、この支持ベルト４２の全体を上記のような分解性の素材で構成してもよいが、本実施形態では、図３０に示すように、取付金具４４の長孔４６に挿入される部分となる先端部４５のみが分解性の素材で構成されており、それ以外のベルトボディ４３の部分は、たとえば一般の合成樹脂製素材のように分解しにくい素材のものを用いてもよい。このように構成することで、たとえば支持ベルト４２の先端部４５は比較的高価な生分解樹脂で構成し、先端部４５以外の部分を比較的安価な汎用性の合成樹脂で構成し、全体のコストを低減することが可能となる。
【００６８】
次に、本実施形態の樹木の支持施工方法は、上記のように、樹木の根鉢を固定する根鉢用固定用具を用いて樹木を支持施工する樹木の支持施工方法であって、前記根鉢の底部に食い込む形状を有する根鉢底部固定部材が前記根鉢用固定用具に具備され、該根鉢底部固定部材を前記根鉢の底部に食い込ませることによって、前記根鉢用固定用具によって根鉢が固定される状態を保持するものである。
【００６９】
根鉢の周囲に根鉢用接触体を複数配置し、一つの根鉢用接触体と他の根鉢用接触体との間に支持ベルトを掛け回した状態で該支持ベルトを締め付けることによって前記根鉢用接触体で根鉢を押圧して根鉢を固定することも可能である。このような支持ベルトが複数の根鉢用接触体に掛け回され、支持ベルトが締め付けられることで該支持ベルトに緊締力が生じると、根鉢に対して根鉢用接触体の押圧力が作用することとなる。
【００７０】
また、樹木の根鉢の外周面に、複数の根鉢用接触体を接触させる工程の前に、根鉢を載置するための根鉢用載置体を地面に設置し、該根鉢用載置体上に根鉢を載置する工程をさらに含むことも可能である。このような根鉢用載置体が用いられる場合には、複数の根鉢用接触体を接触させる工程の後に、複数の根鉢用接触体と、根鉢用載置体とを、連結用部材によって連結する工程をさらに含むことができる。
【００７１】
また、上記のような根鉢用載置体を用いずに、地面に打ち込み可能な打込杆を用い、該打込杆を根鉢の周囲の地面に打ち込み、打ち込まれた打込杆に連結用部材を介して根鉢用接触体を連結することもできる。この場合においても、根鉢用接触体に、上記のような支持ベルトを掛け回して緊締させることができる。
【００７２】
尚、本実施形態の樹木の支持施工方法は、植穴内に根鉢を埋め、土で閉塞して樹木を支持する、いわゆる地下支柱の施工を行う場合に適用される他、たとえば屋上庭園における樹木の支持施工に本発明を適用することも可能である。また一般の地盤の他、人工地盤における樹木の支持施工に本発明を適用することも可能である。
【００７３】
以下、本発明のより具体的な実施形態について図面に従って説明する。先ず、一実施形態としての樹木の支持施工における根鉢用固定用具の構成について説明する。
【００７４】
本実施形態の根鉢用固定用具には、根鉢の底部に食い込んで根鉢を固定するための根鉢底部固定部材１と、根鉢を載置するための根鉢用載置体５と、根鉢の側面に接触させて該根鉢の側面を支持するための４個の根鉢用接触体２４と、前記根鉢用載置体５と根鉢用接触体２４とに掛け渡された４個のアジャスター３７と、前記根鉢用接触体２４の上部に掛け回されて根鉢を支持する支持ベルト４２と、該支持ベルト４２を締め付けるためのウインチ４８と、前記根鉢用接触体２４を保持しつつ、根鉢の側面に打ち込むための根鉢用接触体固定部材３１とが具備されている。
【００７５】
根鉢底部固定部材１としては、図１及び図２に示すものが用いられる。根鉢底部固定部材１の構成については、図１及び図２に基づいてすでに詳細に説明したとおりであり、ここではその説明は繰り返さない。また根鉢用載置体５としては、図９及び図１０に示すものが用いられる。根鉢用載置体５の構成については、図９、図１０、図１１に基づいてすでに詳細に説明したとおりであり、ここではその説明は繰り返さない。根鉢底部固定部材１は、根鉢８の底部８ｃの略中央に食い込むように、根鉢用載置体５の略中央に設けられている。
【００７６】
さらに根鉢用接触体１としては、図１及び図２に示すものが用いられる。根鉢用接触体１の構成については、図１、及び図２に基づいてすでに詳細に説明したとおりであり、ここではその説明は繰り返さない。さらにアジャスター２２としては、図２８及び図２９に示すものが用いられる。アジャスター２２の構成については、図２８及び図２９に基づいてすでに詳細に説明したとおりであり、ここではその説明は繰り返さない。
【００７７】
さらに根鉢用接触体固定部材３１としては、図１７及び図１８に示すものが用いられる。根鉢用接触体固定部材３１の構成については、図１７及び図１８に基づいてすでに詳細に説明したとおりであり、ここではその説明は繰り返さない。さらに支持ベルト４２としては図３０に示すものが用いられ、ウインチ４８としては図３１及び図３２に示すものが用いられる。支持ベルト４２及びウインチ４８の構成については、図３０乃至図３２に基づいてすでに詳細に説明したとおりであり、ここではその説明は繰り返さない。
【００７８】
次に、上記のような構成からなる根鉢用固定用具を用いて樹木の支持施工を行う樹木の支持施工方法の実施形態について説明する。上記のような根鉢用固定用具は、植穴の底壁面に設置して使用されるものである。そして、上記のような各構成部材によって根鉢用固定用具が組み立てられる。すなわち、前記スライド杆２１が枠杆７に外嵌されることによって、移動部材２０が固定部材６に一体化されて根鉢用載置体５が形成され、さらに図３５に示すようにアジャスター軸部３８が移動部材２０のスライド杆２１に外嵌されることによって、アジャスター３７が前記根鉢用載置体５に連結される。このようにして４個のアジャスター３７が図３６及び図３７のように移動部材２０に取り付けられて該移動部材２０上に立設されることとなる。
【００７９】
このようにして組み立てられた根鉢用固定用具が植穴の底壁面に設置された状態で、打込部材２２を植穴５３の側壁面５４に打ち込む。この打ち込みは、打設体２３をハンマーで打設することによって行う。この場合において、本実施形態では、図３６及び図３７に示すように、アジャスター３７が根鉢用載置体５の移動部材２０のスライド杆２１上に立設され、また前記打設体２３はスライド杆２１の先端側に設けられているため、この打設体２３をハンマーで打設する作業を行う場合、前記根鉢用接触体５が立設されているアジャスター３７の存在が支障となって、ハンマーでの打設作業が行いにくくなる。
【００８０】
しかしながら、本実施形態のアジャスター３７は、略円筒状のアジャスター軸部３８に、１対の鋼材部分が平行に配置されるようなアジャスターフレーム３９が固着されて構成されたものであり、そのアジャスター軸部３８が移動部材２０のスライド杆２１に外嵌されて構成されたものであるため、図３８に示すように、アジャスター軸部３８を中心として、アジャスターフレーム３９をスライド杆２１に対して横向きに回動させることが可能となる。この結果、ハンマーで打設体２３１を打設する作業を行う場合、前記アジャスター３７が支障となることがなく、打設体２３の打設作業を容易に行うことができる。これによって、図３９に示すように打込部材２２を植穴５３の側壁面５４に容易に打ち込むことができるのである。
【００８１】
次に、上記のようにして、打込部材２２を植穴５３の側壁面５４に打ち込んだ後、アジャスター３７のアジャスターフレーム３９を逆方向に回動させて再度スライド杆２１上に起立させ、その状態で図４０に示すようにアジャスター３７に根鉢用接触体２４を取り付ける。より具体的には、アジャスターフレーム３９の上部に取り付けられた係止片４０を、接触体中央片２５における２個の孔２７ｂ、２７ｂに跨がるようにして前記根鉢用接触体２４の背面側に係止させる。本実施形態では、計６個の孔のうち、上から４番目の孔２７ｂと５番目の孔２７ｂとに跨がるようにアジャスター２２の係止片２５が係止される。ただし、何番目の孔４ｂに跨がるようにアジャスター３７の係止片４０を係止させるかは任意に変更可能であり、係止片４０を係止させる孔２７ｂの位置によって、根鉢用接触体２４の高さが変わることになる。従って、支持する根鉢の高さに応じて根鉢用接触体２４の高さを調節することができる。
【００８２】
さらにボルト４１を係止片４０に挿通することによって、孔２７ｂ、２７ｂに跨がって係止されている係止片４１が接触体中央片２から離脱するのが禁止される。これによって、図４０に示すように、根鉢用接触体２４がアジャスター３７に連結されることとなる。そして、図４１に示すように、４個の根鉢用接触体２４をすべてアジャスター３７のアジャスターフレーム３９に取り付ける。
【００８３】
次に、上記のようにして、根鉢用接触体２４をアジャスター３７に取り付けた後、根鉢８を根鉢用載置体５に載置する。この場合、根鉢用接触体２４は、図４２に示すようにアジャスター３７とともに、予め傾倒させておく。すなわち、上述のようにアジャスター３７のアジャスター軸部３８を中心に、アジャスターフレーム３９を回動させることができるので、根鉢用接触体２４もアジャスター３７とともに傾倒させることができるのである。このようにアジャスター３７のアジャスターフレーム３９をスライド杆２１に対して横向きに回動させて傾倒させることにより、根鉢８を根鉢用載置体５に載置する作業にも支障を生じさせないこととなる。
【００８４】
また、この場合において、根鉢８を根鉢用載置体５に載置すると、図４３に示すように、根鉢底部固定部材１が根鉢８の底部８ｃに突き刺さる。より具体的には、根鉢底部固定部材１の突片３の山形状部４が、根鉢８の底部８ｃに突き刺さって、根鉢底部固定部材１が根鉢８の底部８ｃに食い込むこととなり、それによって、根鉢８が確実に固定されることとなる。このように、根鉢底部固定部材１が根鉢８の底部８ｃに食い込んで根鉢８が固定されることで、地盤沈下が生じた場合や樹木に傾倒力が作用する場合における、鉛直方向に対する根鉢８の傾きが防止される要因となる。
【００８５】
次に、アジャスターフレーム３９を逆方向に回動させてアジャスター３７及び根鉢用接触体２４を再度起立させる。この場合、アジャスター３７の位置は、図４４に示すように、根鉢８から離間するように設定されている。
【００８６】
そして、図４５に示すように、移動部材２０のスライド杆２１に沿ってアジャスター３７のアジャスター軸部３８を移動させることにより、根鉢用接触体２４を根鉢８の側面８ａに接触させる。この場合において、アジャスター軸部３８は略円筒状に形成されたものであって、スライド杆２１に外嵌されているので、そのスライド杆２１上を容易に移動させることができる。また、アジャスター軸部３８が略円筒状に形成されているので、植穴５３の底部の地面との設置面積が少なく、アジャスター軸部３８をスライド杆２１に対してスライドさせる際の抵抗が少ないこととなり、この点でもアジャスター軸部３８を移動させる際の作業が容易となる。図４５には、４個の根鉢用接触体２４をすべて根鉢８の側面８ａに当接した全体の状態を示している。
【００８７】
次に、図４６及び図４７に示すように、４個の根鉢用接触体２４の掛止体２８に支持ベルト４２を掛け回す。この場合、支持ベルト４２は前記のウインチ４８によって締め付ける。これによって、根鉢８の上面側が支持ベルト４２によって支持され、さらに支持ベルト４２の締付力によって、根鉢用接触体２４が根鉢８側に押圧され、根鉢用接触体２４がより確実に固定されることとなる。
【００８８】
次に、図１９及び図２０に示すように、根鉢用接触体固定部材３１で根鉢用接触体２４を保持させつつ、根鉢用接触体固定部材３１を根鉢８の側面８ａに打ち込む。より具体的には、根鉢用接触体固定部材３１の中央片３１ａが、根鉢用接触体２４の接触体頭部片２６の頭部片下部２６ｃの正面に接触し、根鉢用接触体固定部材３１の両側片３１ｂ、３１ｂが前記接触体頭部片２６の頭部片下部２６ｃの両側に跨るように、根鉢用接触体固定部材３１が根鉢８の側面８ａに打ち込まれることとなる。さらに、ボルト３３が根鉢用接触体固定部材３１の孔３２に挿入されることによって、根鉢用接触体固定部材３１と根鉢用接触体２４との相互間が固定されることとなる。
【００８９】
このような根鉢用接触体固定部材３１は、図４８に示すように、４ケ所の根鉢用接触体２４をそれぞれ保持するように、打ち込まれる。このようにして根鉢用接触体固定部材３１を根鉢８の側面８ａに打ち込むことによって、根鉢用接触体２４が根鉢用接触体固定部材３１に保持されて固定されることとなる。
【００９０】
このように根鉢用接触体２４が根鉢用接触体固定部材３１に保持、固定された状態で、根鉢用接触体固定部材３１が根鉢８の側面８ａに打ち込まれることによって、根鉢８に対する根鉢用接触体２４の位置ずれが防止されることとなり、また根鉢用接触体固定部材３１が根鉢８に打ち込まれることによる食い込み力も根鉢に対して作用することになるので、地盤沈下が生じた場合や樹木に傾倒力が作用する場合における、鉛直方向に対する根鉢の傾きを、従来に比べてより確実に防止することが可能となる。
【００９１】
上記のように、根鉢用接触体２４を外側から保持しつつ根鉢用接触体固定部材３１を根鉢８の側面８ａに打ち込んだ後、植穴５３内に土を埋め、植穴を閉塞する。これによって樹木の支持施工が完了する。
【００９２】
上記のように、本実施形態では、前記根鉢用接触体固定部材３１の作用と、前記根鉢底部固定部材１の根鉢８の底部８ｃへの食い込みの作用との双方の作用によって、地盤沈下が生じた場合や樹木に傾倒力が作用する場合における、鉛直方向に対する根鉢の傾きの防止効果が一層良好となる。
【符号の説明】
【００９３】
１  根鉢底部固定部材        ５  根鉢用載置体
８  根鉢                  ８ｃ  底部
【図１】
0006548479.tif 000002
【図２】
0006548479.tif 000003
【図３】
0006548479.tif 000004
【図４】
0006548479.tif 000005
【図５】
0006548479.tif 000006
【図６】
0006548479.tif 000007
【図７】
0006548479.tif 000008
【図８】
0006548479.tif 000009
【図９】
0006548479.tif 000010
【図１０】
0006548479.tif 000011
【図１１】
0006548479.tif 000012
【図１２】
0006548479.tif 000013
【図１３】
0006548479.tif 000014
【図１４】
0006548479.tif 000015
【図１５】
0006548479.tif 000016
【図１６】
0006548479.tif 000017
【図１７】
0006548479.tif 000018
【図１８】
0006548479.tif 000019
【図１９】
0006548479.tif 000020
【図２０】
0006548479.tif 000021
【図２１】
0006548479.tif 000022
【図２２】
0006548479.tif 000023
【図２３】
0006548479.tif 000024
【図２４】
0006548479.tif 000025
【図２５】
0006548479.tif 000026
【図２６】
0006548479.tif 000027
【図２７】
0006548479.tif 000028
【図２８】
0006548479.tif 000029
【図２９】
0006548479.tif 000030
【図３０】
0006548479.tif 000031
【図３１】
0006548479.tif 000032
【図３２】
0006548479.tif 000033
【図３３】
0006548479.tif 000034
【図３４】
0006548479.tif 000035
【図３５】
0006548479.tif 000036
【図３６】
0006548479.tif 000037
【図３７】
0006548479.tif 000038
【図３８】
0006548479.tif 000039
【図３９】
0006548479.tif 000040
【図４０】
0006548479.tif 000041
【図４１】
0006548479.tif 000042
【図４２】
0006548479.tif 000043
【図４３】
0006548479.tif 000044
【図４４】
0006548479.tif 000045
【図４５】
0006548479.tif 000046
【図４６】
0006548479.tif 000047
【図４７】
0006548479.tif 000048
【図４８】
0006548479.tif 000049
【図４９】
0006548479.tif 000050